(57)【要約】【課題】  留守番電話機の着信制御において、発呼途中放棄の判定の精度を上げ、トールセーバの誤判定の防止し、ユーザにトールセーバの誤判定による、不要な電話料金が課せられないようにする。【解決手段】  呼出信号のＯＮ時間とＯＦＦ時間を計時する計時手段と、呼出信号の回数を計数する計数手段と、呼出信号の回数によって、回線の接続または非接続を判定する着信制御手段と、着信消滅を判定する消滅判定手段と、発呼側途中放棄を判定する放棄判定手段と、前記消滅判定手段あるいは前記放棄判定手段の判定結果に応じて呼出信号の回数をクリアするクリア手段とを有し、発呼側途中放棄直後の新たな着信として、呼出信号カウンタを一旦クリアし、呼出信号の再検定を行うようにしたものである。【選択図】  図２
2009130704.tif 000002
【特許請求の範囲】
【請求項１】
呼出信号のＯＮ時間とＯＦＦ時間を計時する計時手段と、
呼出信号の回数を計数する計数手段と、
呼出信号の回数によって、回線の接続または非接続を判定する着信制御手段と、
着信消滅を判定する消滅判定手段と、
発呼側途中放棄を判定する放棄判定手段と、
前記消滅判定手段あるいは前記放棄判定手段の判定結果に応じて呼出信号の回数をクリアするクリア手段とを有し、
前記着信制御手段は、呼出信号が再検定された場合、呼出信号の回数によって回線の接続または非接続を判定することを特徴とする通信装置。
【発明の詳細な説明】
【技術分野】
【０００１】
本発明は、公衆回線に接続される通信装置の着信処理に関するものである。
【背景技術】
【０００２】
従来、公衆回線に接続される留守番電話機には、トールセーバーの機能を持っている。そして、この機能は次のようなものである。
【０００３】
まず、留守番電話機を留守番電話待機状態にしておく、外出先から前記留守番電話機に携帯電話で電話をかけ、受話器から呼出音を聞き、呼出音の回数を数える。
【０００４】
もし、呼出音の回数が２回で、留守番電話機が応答したなら、外出中に新着の留守番電話メッセージが有ることになる。留守番電話機は応答メッセージを送出してくるが、ユーザが携帯電話機のテンキーで、予め決められたＤＴＭＦ信号を送出すれば、留守番電話機をリモート操作することができる。前記ＤＴＭＦ信号で、新着の留守番電話メッセージを再生するように操作すれば、ユーザはこのメッセージを聞くことができる。
【０００５】
もし、呼出音が３回以上鳴動するなら、新着の留守番電話メッセージが無いことになるので、すぐ電話を切れば、電話料金を課金されずに済む。
【０００６】
また、呼出音が５回に達すると、留守番電話機は応答するが、前記ＤＴＭＦ信号で、留守番電話を操作することができるし、留守番電話メッセージを録音することもできる。しかし、留守番電話機は応答しているので、電話料金は課金される。
【０００７】
この機能において、着信時の留守番電話機側は、回線側からの呼出信号の回数をカウントしている。
【０００８】
そして、新着の留守番電話メッセージが有れば、２回で回線を接続し、応答する。
【０００９】
また、新着の留守番電話メッセージが無ければ、２回では、回線を接続しないで、５回に到達したとき、回線を接続し、応答する。
【００１０】
上記、２回または５回という規定回数に満たないときに、ある一定期間呼出信号が消滅したら、発呼側が放棄したと考えられ、呼出信号のカウントをクリアし、次の新たな着信に備える（例えば、特許文献１参照）。
【特許文献１】特開平９−８３６１７号公報
【発明の開示】
【発明が解決しようとする課題】
【００１１】
しかしながら、前記従来例では、トールセーバの機能において、結果が必ずしも、外出先ユーザの期待通りにならない可能性があった。
【００１２】
留守番電話機に新着の留守番電話メッセージが登録されていないとき、トールセーバ機能が働いていると、ユーザが外出先から留守番電話機に携帯電話で電話をした場合、通常３回以上の呼出音を聞くことになる。
【００１３】
ところが、例えば、他者がこの留守番電話機に電話をかけ、呼出音が３回鳴動した時点で、電話発呼を途中放棄し、留守番電話機が着信消滅する前に、ユーザ自身がそれを知らずに、この留守番電話機に電話をかけた場合、呼出音が２回鳴動したところで、留守番電話機は、回線を接続し、応答してくる。ユーザは、新着の留守番メッセージを聞く操作をするが、新着メッセージが無い。ユーザには、不要な電話料金が課せられることになる。
【課題を解決するための手段】
【００１４】
本発明に係わる通信装置は、上記課題を解決するために、呼出信号のＯＮ時間とＯＦＦ時間を計時する計時手段と、呼出信号の回数を計数する計数手段と、呼出信号の回数によって、回線の接続または非接続を判定する着信制御手段と、着信消滅を判定する消滅判定手段と、発呼側途中放棄を判定する放棄判定手段と、前記消滅判定手段あるいは前記放棄判定手段の判定結果に応じて呼出信号の回数をクリアするクリア手段とを有し、発呼側途中放棄直後の新たな着信として、呼出信号カウンタを一旦クリアし、呼出信号の再検定を行うようにしたものである。
【発明の効果】
【００１５】
本発明において、呼出信号が回線より到来し、呼出信号の回数を計数するとき、呼出信号回数を単純に数えた結果だけで、回線の接続または非接続を判定するのではなく、発呼側途中放棄直後の新たな着信の識別性能がより向上することで、これを留守番電話機に応用した場合、トールセーバの機能において、回線の誤接続が防止でき、ユーザに不要な電話料金が課せられる可能性が少なくなる。
【発明を実施するための最良の形態】
【００１６】
以下、添付図面を参照して本発明の好適な実施の形態を詳細に説明する。
【００１７】
以下、本発明の一実施形態としての留守番電話付きファクシミリ装置を説明する。図１は、実施形態のファクシミリの構成例を示す構成図である。ただし、この実施の形態に記載されている構成要素の相対配置、表示画面等は、特に特定的な記載がない限りは、この発明の範囲をそれらのみに限定する趣旨のものではない。
【００１８】
同図において、１は原稿を読み取る読取部、２はファクシミリにおける画像データや留守番電話における音声データが記憶されるデータ記憶部でこれらのデータは記憶部の容量節約のため符号化された形式で記憶される。３は原稿を送信する際に読み取った画像データをＭＨやＭＲに符号化する機能と、符号化された状態で受信した画像データを復号化する機能を持ち合わせた符号化／復号化部である。
【００１９】
そして、復号化された画像データは記録部４により紙に記録される。
【００２０】
５はユーザが送信操作など登録操作など様々な操作を行うための操作部で、テンキーなどの押しボタンスイッチ、液晶ディスプレー等からなる。
【００２１】
６は中央処理部で、次の各部からなる。すなわち、６１は留守番電話付きファクシミリが動作するためのプログラムを実行するＣＰＵ、６２は本実施例の留守番電話付きファクシミリ装置のプログラムが記憶されているＲＯＭ、６３はＣＰＵ６１が動作するときのワークエリアとして使用される半導体のＲＡＭで、このＲＡＭの一部は宛先情報や登録情報を保持するためにバッテリーによりバックアップされている。６４はタイマ用ＩＣで、カレンダー表示等に使用される。
【００２２】
７は外部通信回線と通信を行うための回線制御部で、モデムやダイヤリングのためのリレー、ハンドセット等の各部からなる。さらにモデムには、回線８から到来する音声データを符号化、複合化する機能を具備している。
【００２３】
８は、回線制御部７に接続される回線ケーブルである。
【００２４】
９は、各部を接続する配線である。
【００２５】
さらに、操作部５については、図５に示すとおりである。図５において、２０２は液晶ディスプレー、５０２はテンキー、５０３は機能キー、５０４はマルチキー、５０５はセットキーである。また、５０６は十字キーになっており、上下左右の方向に押下できる。
【００２６】
図５  ２０２の液晶ディスプレーの画面を示した図である。
【００２７】
まず、初めに、図３を用いて着信処理に関連するパラメータを入力する手段について説明する。同図の処理は。ＲＯＭ６２にプログラムされており、ＣＰＵ６１で実行される。
【００２８】
図５のキー操作により、一般ユーザには、公開していないメンテナンスモードに入る。ＬＣＤ２０２に、“メンテナンスモード”を表示する。
【００２９】
Ｓ３−２において、テンキー５０５の操作により、着信に関連するパラメータの入力が可能になる。ここでは“１１”を有効ＯＮ時間(msec)、“２１”を発呼側途中放棄判定時間(msec)、“２２”を着信消滅判定時間(msec)とする。以降これらのパラメータをそれぞれＴ１１、Ｔ２１、Ｔ２２とする。
【００３０】
図３の入力手段を実行しなければ、上記パラメータには、工場出荷時の初期値が記憶されており、Ｔ１１は６００、Ｔ２１は１５００、Ｔ２２は５０００とする。
【００３１】
これら以外のコマンド番号が入力された場合、Ｓ３−３、Ｓ３−４へ進み、他のコマンドの処理を行う。
【００３２】
Ｓ３−２において、“２１”が入力されたものとすると、Ｓ３−５に進み、現在のＴ２１の値をＬＣＤ２０２に表示する。
【００３３】
Ｓ３−６、Ｓ３−７において、テンキー５０５による数値入力を待つ。もし、Ｆ４キー５０４が押下されたら、Ｓ３−１に戻るが、数値入力されたなら、これをＬＣＤ２０２に表示する（Ｓ３−８）。
【００３４】
Ｓ３−９、Ｓ３−１０において、セットキー５０５を待つ。もし、Ｆ４キー５０４が押下されたら、Ｓ３−１に戻るが、セットキー５０５が押下されたなら、入力された値を新しいＴ２１の値として、登録する（Ｓ３−１１）。この値は、ＲＡＭ６３に記憶され、電源が落とされても、値は保持される。
【００３５】
Ｔ１１、Ｔ２２も同様の操作で、登録することができる。
【００３６】
図２は、回線から到来する呼出信号を示した図で、横軸は時間である。「ＮＴＴの技術参考資料」によると、呼出信号は、約１６Ｈｚの交流信号で、ＯＮ（約１秒）、ＯＦＦ（約２秒）を繰り返す。
【００３７】
回線から到来した呼出信号は、回線制御部７で整流され、最終的に呼出信号が有る期間はＯＮ、呼出信号が無の期間はＯＦＦになるように変換される。
【００３８】
そして、図２、図４を用いて着信処理について説明する。図４の処理は。ＲＯＭ６２にプログラムされており、ＣＰＵ６１で実行される。そして、本装置は、留守番電話モードとして、着信待機しているものとする。
【００３９】
まず、着信に関連する「検出処理状態」、「呼出信号カウンタ」、「ＯＮ時間カウンタ１」、「ＯＮ時間カウンタ２」、「ＯＦＦ時間カウンタ１」、「ＯＦＦ時間カウンタ２」の値を初期化する（Ｓ４−１）。これらのカウンタ類は、ＲＡＭ６３に配置されている。
【００４０】
Ｓ４−２において、「検出処理状態」が１であれば、呼出信号のＯＮ時間の検定をする（Ｓ４−３）。また、「検出処理状態」が０であれば、呼出信号のＯＦＦ時間の検定をする（Ｓ４−４）。Ｓ４−３、Ｓ４−４の処理については、後で述べる。
【００４１】
Ｓ４−３またはＳ４−４の処理の後、留守番電話の新着メッセージの有無を調べる（Ｓ４−５）。
【００４２】
新着の留守番電話メッセージが有の場合、Ｓ４−６に進み、呼出信号カウンタが２以上であれば、回線制御部７によって回線を接続し、公知の留守番電話処理に移行する。これは図２（Ｂ）の動作となる。
【００４３】
新着の留守番電話メッセージが無の場合、Ｓ４−７に進み、呼出信号カウンタが５以上であれば、回線制御部７によって回線を接続し、公知の留守番電話処理に移行する。これは、図２（Ａ）の動作となる。
【００４４】
呼出信号カウンタが、前記２または５の規定値に満たない場合は、１０ｍｓｅｃウェイト（Ｓ４−９）し、Ｓ４−２から処理を繰り返す。
【００４５】
次に、Ｓ４−４「ＯＦＦ時間の検定」とＳ４−３「ＯＮ時間の検定」の詳細について述べる。呼出信号を受けていない段階では、検出処理状態は０で、まず、Ｓ４−４の処理を１０ｍｓｅｃ毎に繰り返す。
【００４６】
Ｓ４−１０で呼出信号のＯＦＦ／ＯＮを判定する。もし、呼出信号がＯＦＦならば、ＯＦＦ時間カウンタ１を１加算する（Ｓ４−１１）。
【００４７】
Ｓ４−１２において、ＯＦＦ時間カウンタ１がＴ２２以上か判定する。もし、Ｔ２２未満であれば、呼出信号カウンタ、ＯＮ時間カウンタ１、ＯＮ時間カウンタ２をクリアする（Ｓ４−１３）。そして、Ｓ４−１４に進む。もし、Ｔ２２以上であれば、Ｓ４−１４に進む。
【００４８】
Ｓ４−１４において、ＯＮ時間カウンタ２がＴ１１以上か判定する。もし、Ｔ１１以上なら、ＯＮ時間カウンタ２をクリアし、呼出信号カウンタを１加算する（Ｓ４−１５）。そしてＳ４−４の処理を抜ける。もし、Ｔ１１未満ならすぐにＳ４−４処理を抜ける。
【００４９】
呼出信号を受けていない段階では、ここの処理が１０ｍｓｅｃ毎に繰り返されるため、ＯＦＦ時間カウンタ１が１ずつ増加していく。
【００５０】
回線から呼出信号が到来すると、Ｓ４−１０で判定され、Ｓ４−１６に進む。ここで、ＯＦＦ時間カウンタ１の値をＯＦＦ時間カウンタ２にセーブし、ＯＦＦ時間カウンタ１をクリアする。さらに、ＯＮ時間カウンタ１とＯＮ時間カウンタ２をクリアする。
【００５１】
そして、検出処理状態を１にし（Ｓ４−１７）、Ｓ４−１９に進む。
【００５２】
まず、ＯＮ時間カウンタ１を１加算する（Ｓ４−１９）。
【００５３】
Ｓ４−２０において、ＯＦＦ時間カウンタ２が０か判定する。ＯＦＦ時間カウンタ２はＳ４−１６でセーブした値である。もし、０ならば、Ｓ４−３の処理を抜ける。もし、０以外なら、Ｓ４−２１に進む。
【００５４】
Ｓ４−２１において、ＯＦＦ時間カウンタ２がＴ２１以上か判定する。もし、Ｔ２１以上ならば、Ｓ４−３の処理を抜ける。もし、Ｔ２１未満なら、Ｓ４−２２に進む。
【００５５】
Ｓ４−２２において、呼出信号カウンタが０か判定する。もし、０以外なら、ＯＦＦ時間カウンタ２をクリアし（Ｓ４−２３）、呼出信号カウンタもクリアする（Ｓ４−２４）。もし０なら、Ｓ４−３の処理を抜ける。
【００５６】
Ｓ４−３の処理を抜けた後、呼出信号を受け続けているときは、ここの処理が１０ｍｓｅｃ毎に繰り返されるため、Ｓ４−１８で判定され、Ｓ４−１９でＯＮ時間カウンタ１が１ずつ増加していく。
【００５７】
回線から呼出信号の到来がなくなると、Ｓ４−１８で判定され、Ｓ４−２５に進む。ここで、ＯＮ時間カウンタ１の値をＯＮ時間カウンタ２にセーブし、ＯＮ時間カウンタ１をクリアする。さらに、ＯＦＦ時間カウンタ１とＯＦＦ時間カウンタ２をクリアする。
【００５８】
そして、検出処理状態を０にし（Ｓ４−２６）、Ｓ４−１１に進む。
【００５９】
そして、再度、ＯＦＦ時間の検定を開始するが、Ｓ４−１４で先ほど検出したＯＮ時間がＴ１１以上になるため、呼出信号カウンタが１加算される（Ｓ４−１５）。
【００６０】
図２（Ｃ）の動作について説明する。同図では呼出信号があるため、呼出信号カウンタがカウントアップされている状態で、ＯＦＦ時間の検定を行っているとき、Ｓ４−１２において、ＯＦＦ時間カウンタがＴ２２以上になったら、着信が消滅したものと判断する。そして、呼出信号カウンタ、ＯＮ時間カウンタ１、ＯＮ時間カウンタ２をクリアする（Ｓ４−１３）。呼出信号カウンタがクリアされてしまうので、Ｓ４−８の回線接続処理が行われることはない。
【００６１】
本装置に新着の留守番電話メッセージを無い状態で、しかも留守番電話モードで着信待機しているとき、通常、図２（Ａ）のような動作になる。すなわち呼出信号を５回検出したら、回線を接続し、留守番電話応答に移行する。
【００６２】
図２（Ｄ）と図２（Ａ）では呼出信号の回数は同じであるが、図２（Ｄ）の方は、呼出信号２回のところで、発呼側途中放棄があり、間を置かず、新たな着信があった場合である。
【００６３】
本実施例では、図２（Ｄ）において、３回目の呼出信号後のＯＮ時間検定を開始するとき、その前のＯＦＦ時間がＴ２１未満の場合、発呼側途中放棄と判断し、呼出信号カウンタがクリアされる（Ｓ４−２４）。そのため、誤って接続してしまう可能性が少なくなり、確実性の高いトールセーバ機能を実現することができる。
【図面の簡単な説明】
【００６４】
【図１】本発明の実施例のブロック図。
【図２】回線から到来する呼出信号を示した図。
【図３】本発明実施例において、着信処理に関連するパラメータの入力手段を示したフローチャート。
【図４】本発明実施例において着信処理について示したフローチャート。
【図５】操作部を示した図。
【符号の説明】
【００６５】
１  読取部
２  データ記憶部
３  符号化／複合化部
４  記録部
５  操作部
６  中央処理部
７  回線制御部
８  回線
９  配線
【図１】
2009130704.tif 000003
【図２】
2009130704.tif 000004
【図３】
2009130704.tif 000005
【図４】
2009130704.tif 000006
【図５】
2009130704.tif 000007